(57)【要約】【課題】使用者の好みに応じて使い勝手を向上させ得るイヤホンケースを提供する。【解決手段】ケース本体２とケース蓋体３とが開閉可能に構成され、前記ケース本体２の内部に、イヤホン４のコード５が巻回されるコード巻回柱６を有するイヤホンケース１であって、前記コード巻回柱６が前記ケース本体２の内面に対して位置変更可能に取り付けられている。前記コード巻回柱６の位置変更可能な取り付けは、面ファスナー１９を用いて行うと好適である。【選択図】    図２
2019172369.tif 000002
【特許請求の範囲】
【請求項１】
ケース本体とケース蓋体とが開閉可能に構成され、前記ケース本体の内部に、イヤホンのコードが巻回されるコード巻回柱を有するイヤホンケースであって、前記コード巻回柱が前記ケース本体の内面に対して位置変更可能に取り付けられている、イヤホンケース。
【請求項２】
前記コード巻回柱が前記ケース本体の内面に対して面ファスナーによって着脱自在とされている、請求項１に記載のイヤホンケース。
【請求項３】
前記コード巻回柱の内部が空洞であり、この空洞内に物品が収納可能とされている、請求項１又は２に記載のイヤホンケース。
【発明の詳細な説明】
【技術分野】
【０００１】
本発明は、イヤホンを収納するためのイヤホンケースに関するものである。
【背景技術】
【０００２】
イヤホンケースとして、例えば特許文献１に記載されているように、ケース本体とケース蓋体とが開閉可能に構成され、ケース本体の内部に、イヤホンのコードが巻回されるコード巻回柱を有するものが知られている。
【０００３】
従来のイヤホンケースにあっては、コード巻回柱がケース本体の中央部に予め固着されており、コード巻回柱の位置を使用者の好みに応じて変更可能とするような工夫はなされていなかった。
【先行技術文献】
【特許文献】
【０００４】
【特許文献１】実開昭５１−１２５９３１号公報
【発明の概要】
【発明が解決しようとする課題】
【０００５】
しかしながら、イヤホンによっては、耳穴に挿入されるイヤピースに連続するイヤホン本体のサイズが大きいものがある。特に、昨今の高性能のイヤホンの中には、音質を向上させるための電子部品を多数有するものがあり、電子部品点数の増大がイヤホン本体の大型化をもたらしている。イヤホン本体のサイズが大きいイヤホンをイヤホンケースに収納する場合、コード巻回柱がケース本体の中央部に予め固着されている従来のイヤホンケースにあっては、イヤホン本体のサイズに比べてイヤホン収納スペースが狭すぎて、イヤホンが収納できないという問題が生ずることがある。
【０００６】
また、従来のイヤホンケースにおいては、ケース蓋体の内面側に、他のイヤホンやイヤピース等の交換部品を収納するためのポケットを有するものもあるが、このポケット内の中央位置に交換部品が位置すると、ポケットの中央部の膨らみが大きくなり、ケース蓋体を閉じる際にケース本体内のコード巻回柱と干渉してしまうことがある。このため、ケース蓋体を閉じにくくなるという問題も生ずる。
【０００７】
本発明は、前記のような事情に鑑みてなされたものであり、使用者の好みに応じて使い勝手を向上させ得るイヤホンケースを提供しようとするものである。
【課題を解決するための手段】
【０００８】
前記課題を解決するため、請求項１の本発明に係るイヤホンケースは、ケース本体とケース蓋体とが開閉可能に構成され、前記ケース本体の内部に、イヤホンのコードが巻回されるコード巻回柱を有するイヤホンケースであって、前記コード巻回柱が前記ケース本体の内面に対して位置変更可能に取り付けられることを特徴とする。
【０００９】
請求項２の本発明に係るイヤホンケースは、請求項１のものにおいて、前記コード巻回柱が前記ケース本体の内面に対して面ファスナーによって着脱自在とされることを特徴とする。
【００１０】
請求項３の本発明に係るイヤホンケースは、請求項１又は２のものにおいて、前記コード巻回柱の内部が空洞であり、この空洞内に物品が収納可能とされることを特徴とする。
【発明の効果】
【００１１】
請求項１の本発明によれば、ケース本体の内面に対するコード巻回柱の取付位置を、使用者が自分の好みに応じて適宜に変更することができる。このため、使用者の好みに応じて使い勝手を向上させることができる。具体的には、例えば、収納すべきイヤホンのイヤホン本体のサイズが大きい場合には、ケース本体の内面に対するコード巻回柱の取付位置を使用者がケース本体の隅部寄りの位置に変更することで、使い勝手が向上する。また、ケース蓋体の内面側に、他のイヤホンやイヤピース等の交換部品を収納するためのポケットを有するものにあっては、ポケットの膨らみを避けるように使用者がケース本体の内面に対するコード巻回柱の取付位置を変更することで、使い勝手が向上する。
【００１２】
請求項２の本発明によれば、コード巻回柱の位置変更を使用者が簡単に行うことができる。また、ケース本体の内面に対するコード巻回柱の位置変更可能な取付の構成を低コストで構築することができる。
【００１３】
請求項３の本発明によれば、コード巻回柱の空洞内に物品を収納できるので便利である。
【図面の簡単な説明】
【００１４】
【図１】本発明の実施の一形態に係るイヤホンケースの全開状態の平面図である。
【図２】図１のＩＩ−ＩＩ矢視断面図である。
【発明を実施するための形態】
【００１５】
以下、添付図面を参照して、本発明の実施の形態について説明する。
【００１６】
図１及び図２に示すように、本発明の実施の一形態に係るイヤホンケース１は、ケース本体２とケース蓋体３とが開閉可能に構成され、ケース本体２の内部に、イヤホン４のコード５が巻回されるコード巻回柱６を有する。そして、コード巻回柱６は、ケース本体２の内面に対して位置変更可能に取り付けられている。
【００１７】
ケース本体２とケース蓋体３は、互いに同一の大きさの深皿状の部材であり、それらの一部同士が連結部７によって開閉可能に連結されている。連結部７は、ケース本体２に対するケース蓋体３の開閉に適する柔軟性と、繰り返しの開閉に耐え得る耐久性を有する。図１の例では、ケース本体２とケース蓋体３の平面形状が、角部に丸みを有する矩形形状とされているが、これには限定されず、三角形や台形や、五角形以上の多角形や、円形や楕円形等であってもよい。ケース本体２とケース蓋体３は、収納されるイヤホン４を傷付けることのないように、少なくとも内面が布等の柔軟な素材で作製される。ケース本体２の深さを図２のものよりも深くすれば、ケース蓋体３の深さは図２のものより浅くてもよく、究極的には平板状のケース蓋体３とすることもできる。
【００１８】
ケース蓋体３はケース本体２に対して適宜の接合手段によって接合・分離自在とされる。接合手段としては、それ自体周知の線ファスナー８を用いることができる。線ファスナー８は、ケース本体２とケース蓋体３のそれぞれの外周縁部のうちの前記連結部７を除く部分に配設され、引き手９によるスライダー１０の操作で、一対の線ファスナー要素１１，１２が接合され、又は分離される。限定はされないが、線ファスナー８として、防水又は防湿仕様のものを採用することもできる。他の接合手段として、ケース本体２の縁部に対してケース蓋体３の縁部が接合・分離自在に嵌り合う構成や、ケース本体２とケース蓋体３とが接合・分離自在にねじ結合される構成を採用することもできる。
【００１９】
ケース蓋体３の内面側には、他のイヤホンやイヤピース等の交換部品や乾燥剤等の物品を収納可能なポケット１３が設けられている。図示例のポケット１３は、二枚のネット１４，１５を一部が重なり合うように配置し、外周縁をケース蓋体３の内周面に対して接合したものである。重なり合った部分１６は接合されていないので、ここから交換部品等を出し入れすることができる。
【００２０】
コード巻回柱６は、内部が空洞の有底筒体であり、上部が開口している。図示例では、コード巻回柱６の外周形状が円筒状とされているが、これには限定されず、角筒状であってもよい。コード巻回柱６の空洞内には、物品を収納することができる。収納する物品としては、例えば、シリカゲル等の乾燥剤や、交換部品としてのイヤピース等が挙げられる。空洞内に乾燥剤を収納しておけば、イヤホンケース１内が除湿されるので、収納されるイヤホン４を湿気から保護することができる。乾燥剤の使用は、イヤホンケース１が防湿性又は気密性を有する構成とされている場合に特に有効である。なお、乾燥剤は、ケース蓋体３のポケット１３に収納してもよい。
【００２１】
コード巻回柱６は、ケース本体２の内面に対して位置変更可能に取り付けられる。位置変更可能な取付方法として、互いに接合・分離自在な一対の面ファスナー要素１７，１８を備える面ファスナー１９を用いると好適である。すなわち、図２に示すように、一対の面ファスナー要素の一方１７をケース本体２の内面に張り付け、他方１８をコード巻回柱１８の底面に張り付ける。これにより、イヤホンケース１の使用者は、コード巻回柱６をケース本体２の内面の任意の位置に簡単に取り付けることができ、且つ、コード巻回柱６の位置を簡単に変更することができる。また、コード巻回柱６の位置変更可能な取り付けの構成を低コストで構築することができる。
【００２２】
ケース本体２の内面に対するコード巻回柱６の位置変更可能な取付方法の他の例として、ブロックおもちゃに見られるような嵌め込み式のものを採用することもできる。
【００２３】
コード巻回柱６がケース本体２の内面に対して位置変更可能に取り付けられることにより、ケース本体２の内面に対するコード巻回柱６の取付位置を、使用者が自分の好みに応じて適宜に変更することができる。このため、使用者の好みに応じて使い勝手を向上させることができる。
【００２４】
具体的には、例えば、収納すべきイヤホン４のイヤホン本体４ａのサイズが大きい場合には、ケース本体２の内面に対するコード巻回柱６の取付位置を、図１に示すように、ケース本体２の隅部寄りの位置に変更することで、使い勝手が向上する。また、ケース蓋体３のポケット１３の一部が交換部品等で膨らんでいる場合には、ポケット１３の膨らみを避けるように使用者がコード巻回柱６の取付位置を変更することで、イヤホンケース１の全閉時にポケット１３の膨らみとコード巻回柱６との干渉を避けることができ、使い勝手が向上する。
【符号の説明】
【００２５】
１    イヤホンケース
２    ケース本体
３    ケース蓋体
４    イヤホン
５    コード
６    コード巻回柱
８    線ファスナー
１９  面ファスナー
【図１】
2019172369.tif 000003
【図２】
2019172369.tif 000004